(57)【要約】【課題】温水洗浄装置の分岐接続具を提供する。【解決手段】本発明は、水道栓連結部への水道栓固定ナットの固定が容易に行われるようにすることで、水道栓固定ナットを介する水道栓連結部への水道栓の連結が簡便に行われるようにする温水洗浄装置の分岐接続具に関する。  本発明に係る温水洗浄装置の分岐接続具は、水道栓と連結する水道栓連結部、便器ホースと連結する便器ホース連結部、及び温水洗浄装置ホースと連結する温水洗浄装置ホース連結部が形成された本体と、前記本体の水道栓連結部に装着されて水道栓と結合する水道栓固定ナットと、を含み、前記本体の水道栓連結部先端側には、外側に突出される突起部を一体に形成し、前記水道栓固定ナットには、前記水道栓連結部で離脱を防止することができるように突起部の内側端に引っ掛かれる引っ掛け部を形成したものである。【選択図】図２
2015025357.tif 000002
【特許請求の範囲】
【請求項１】
水道栓と連結する水道栓連結部、便器ホースと連結する便器ホース連結部、及び温水洗浄装置ホースと連結する温水洗浄装置ホース連結部が形成された本体と、前記本体の水道栓連結部に装着されて水道栓と結合する水道栓固定ナットと、を含み、
前記本体の水道栓連結部先端側には外側に突出された突起部を一体に形成し、
前記水道栓固定ナットには、前記水道栓連結部から離脱を防止することができるように、前記突起部の内側端に引っ掛けられる引っ掛け部を形成することを特徴とする温水洗浄装置の分岐接続具。
【請求項２】
前記本体の水道栓連結部先端に形成される突起部は、水道栓固定ナットが水道栓連結部の先端に貫通された状態で、リベッティング装置により水道栓連結部の先端にリベッティングされて形成されることを特徴とする請求項１に記載の温水洗浄装置の分岐接続具。
【請求項３】
前記本体及び水道栓固定ナットが金属であることを特徴とする請求項１に記載の温水洗浄装置の分岐接続具。
【発明の詳細な説明】
【技術分野】
【０００１】
本発明は、温水洗浄装置の分岐接続具に関し、より詳しくは、本体の水道栓連結部に装着された水道栓固定ナットが離脱することなく、その固定作業が容易に行われるようにすることで、水道栓固定ナットを介する水道栓連結部への水道栓連結が簡便に行われる温水洗浄装置の分岐接続具(Branching connector for warm water dealing of bidet)に関する。
【背景技術】
【０００２】
温水洗浄装置は座便器に設置されるもので、排便後にノズルから洗浄水を噴射することで肛門または局所を洗浄及びマッサージするものである。
【０００３】
この場合、温水洗浄装置のノズルアセンブリは、座便器上に設けられるハウジングと、ハウジング外部から流入される水供給管と連結される給水栓と、給水栓と連結されて洗浄水を供給する配管と、配管上の前方部に設けられて供給される洗浄水の流圧を調節する減圧弁と、減圧弁の後方における配管上に設けられて洗浄水を所定温度に熱交換する温水タンクと、温水タンク後方の配管上に設けられて洗浄水流量を調節する流量調節弁と、流量調節弁の後方における配管先端に設けられて洗浄水を噴射するノズル本体と、ノズル本体の先端周辺に設けられて流量調節弁を経て分岐供給される洗浄水を介してノズル本体を洗浄する自己洗浄ノズルとを含んでなる。
【０００４】
一方、温水洗浄装置は、水道栓から供給された水を洗浄水として使用するので、水道栓と温水洗浄装置の給水栓との間には、特許文献１に開示したような「Ｔ」型の分岐接続具が設けられて水道栓から供給される水を分岐して一部は温水洗浄装置の給水栓に供給し、一部は便器の水タンクに供給する。
【０００５】
この場合、前記のような分岐接続具Ａ１００は、添付の図５及び図６のように、水道栓連結部１０１と、便器ホース連結部１０２と、温水洗浄装置ホース連結部１０３が形成された本体１００と、前記本体１００の水道栓連結部１０１上に結合される水道栓固定ナット２００とを含むことで、水道栓固定ナット２００は本体１００の水道栓連結部１０１に挿入ボルト４００が締結されて水道栓連結部１０１に固定される。
【０００６】
しかし、前記温水洗浄装置の分岐接続具Ａ１００は、水道栓３００から供給される水を温水洗浄装置ホース連結部１０３に結合する温水洗浄装置ホース（図示せず）と、便器ホース連結部１０２に結合する便器ホース（図示せず）を介して温水洗浄装置と便器に分岐して供給できるようにしたが、水道栓連結部１０１への水道栓固定ナット２００の固定のために挿入ボルト４００を製作して締結しなければならないという厄介な問題があった。
【０００７】
このような理由により該当分野では、水道栓連結部への水道栓固定ナットの固定が容易に行われるようにする温水洗浄装置の分岐接続具の開発を試みていたが、いままで満足する結果物を出すことができない実情であった。
【先行技術文献】
【特許文献】
【０００８】
【特許文献１】大韓民国特許出願公開第１０−２０１３−００１２３５８号（公開日２０１３．０２．０４）
【発明の概要】
【発明が解決しようとする課題】
【０００９】
本発明は、上記のような実情に鑑みてなされたものであり、従来の温水洗浄装置の分岐接続具で水道栓連結部への水道栓固定ナットの固定のために挿入ボルトを製作して締結しなければならなかった不便を解消する温水洗浄装置の分岐接続具を提供するのにその目的がある。
【課題を解決するための手段】
【００１０】
上記の目的を達成するための本発明に係る温水洗浄装置の分岐接続具は、水道栓と連結する水道栓連結部、便器ホースと連結する便器ホース連結部、及び温水洗浄装置ホースと連結する温水洗浄装置のホース連結部が形成された本体と、前記本体の水道栓連結部に装着されて水道栓と結合する水道栓固定ナットとを含み、前記本体の水道栓連結部の先端側には、外側に突出される突起部を一体に形成し、前記水道栓固定ナットには、前記水道栓連結部からの離脱を防止することができるように前記突起部の内側端に引っ掛かる引っ掛け部を形成したものである。
【００１１】
前記本体の水道栓連結部先端に形成される突起部は、水道栓固定ナットが水道栓連結部の先端に貫通された状態で、リベッティング装置によって水道栓連結部先端にリベッティングされて形成される。
【００１２】
そして、前記本体及び水道栓固定ナットは金属で構成される。
【発明の効果】
【００１３】
本発明に係る温水洗浄装置の分岐接続具は、本体の水道栓連結部先端に外側に突出された突起部を一体に形成したので、水道栓連結部の先端に形成された突起部の内側端に水道栓固定ナットの引っ掛け部が掛かることで、水道栓連結部上で水道栓固定ナットの離脱を防止することができるため、本体の水道栓連結部への水道栓固定ナットの固定を簡便に行うことができる。
【図面の簡単な説明】
【００１４】
【図１】本発明に係る温水洗浄装置の分岐接続具構造を説明するための斜視図。
【図２】本発明に係る温水洗浄装置の分岐接続具構造を説明するための結合状態断面図。
【図３】本発明に係る温水洗浄装置の分岐接続具において本体の水道栓連結部に水道栓連結を説明するための断面図。
【図４】本発明に係る温水洗浄装置の分岐接続具において水道栓固定ナットの離脱防止を説明するための例示図。
【図５】従来の温水洗浄装置の分岐接続具の構造を説明するための分離斜視図。
【図６】従来の温水洗浄装置の分岐接続具の構造を説明するための結合状態断面図。
【発明を実施するための形態】
【００１５】
以下のように、本発明について添付図面を参照して詳しく説明する。
【００１６】
図１及び図２に示すように、本発明に係る温水洗浄装置の分岐接続具Ａは本体１０と水道栓固定ナット２０とを含む。
【００１７】
前記本体１０には、水道栓５０と連結する水道栓連結部１１と、通常の便器ホース（図示せず）と連結する便器ホース連結部１２と、通常の温水洗浄装置ホースと連結する温水洗浄装置のホース連結部１３とが形成される。
【００１８】
前記本体１０の水道栓連結部１１の先端には、外側に突出される突起部１１ａが一体化して形成されることが好ましい。
【００１９】
本体１０の水道栓連結部１１の先端において外側に突出される突起部１１ａが一体化して形成されることで、水道栓固定ナット２０が本体１０の水道栓連結部１１の先端に貫通される場合、前記突起部１１ａの内側端に水道栓固定ナット２０の引っ掛け部２０ａが引っ掛かるので、別途の部品なしに前記突起部１１ａと引っ掛け部２０ａとの引っ掛かり動作によって水道栓連結部１１上において前記水道栓固定ナット２０の離脱を防止することができる。
【００２０】
この場合、前記本体１０の水道栓連結部１１で前記突起部１１ａは通常のリベッティング装置（図示せず）によって一体化される。
【００２１】
すなわち、水道栓固定ナット２０が本体１０の水道栓連結部１１の先端に貫通された状態で、リベッティング装置が水道栓連結部１１の先端に突起部１１ａをリベッティングすることで、水道栓連結部１１の先端が外側に突出された形態で前記突起部１１ａを一体化したものである。
【００２２】
ここで、通常の前記リベッティング装置は偏心回転軸を備えたもので、これは偏心回転軸を介して水道栓連結部１１の先端を圧搾することによって水道栓連結部１１の先端側で突起部１１ａのリベッティングが行われ、前記水道栓連結部１１の先端から外側に突起部１１ａを突出しながら一体化させるためのことである。
【００２３】
一方、本体１０は金属であることが好ましい。
【００２４】
本体１０が金属であることで、本体１０の剛性が高められるだけでなく、前記突起部１１ａに対する一体化形成などの部分加工がより円滑に行われる。
【００２５】
前記水道栓固定ナット２０は、引っ掛け部２０ａを介して本体１０の水道栓連結部１１に装着されて水道栓５０と結合される。
【００２６】
このような水道栓固定ナット２０の内周面には螺旋溝２１が形成されることは勿論だ。
【００２７】
水道栓固定ナット２０の内周面に螺旋溝２１が形成されることで、水道栓固定ナット２０の内周面の螺旋溝２１が水道栓５０の外周面に形成された螺旋溝５１と噛み合うことで、本体１０の水道栓連結部１１が水道栓と連結される。
【００２８】
この場合、水道栓固定ナット２０は金属であることが好ましい。
【００２９】
水道栓固定ナット２０が金属であることで、水道栓固定ナット２０の剛性を高められることは勿論で、螺旋溝２１に対する形成などの部分加工が円滑となる。
【００３０】
上記のような本発明に係る温水洗浄装置の分岐接続具Ａにおいて、本体１０の水道栓連結部１１と水道栓５０との連結について、次に詳細に説明する。
【００３１】
本発明において本体１０の水道栓連結部１１には、水道栓固定ナット２０が装着されている。
【００３２】
この場合、水道栓固定ナット２０は、内周面に螺旋溝２１が形成されたものである。
【００３３】
したがって、図３に示すように、水道栓固定ナット２０の内周面の螺旋溝２１を、水道栓５０の外周面に形成された螺旋溝５１に噛み合うようにすると、前記水道栓固定ナット２０と水道栓５０とは螺旋溝２１、５１の締結力で結合され、前記水道栓固定ナット２０と水道栓５０との結合によって本体１０の水道栓連結部１１が水道栓５０に連結される。
【００３４】
このように、本体１０の水道栓連結部１１と水道栓５０との連結過程において、水道栓連結部１１上の水道栓固定ナット２０が離脱すると、水道栓連結部１１と水道栓５０との連結や連結状態の維持ができなくなる。
【００３５】
しかし、本発明では、本体１０の水道栓連結部１１の先端に外側に突出された突起部１１ａが一体化形成していて、前記水道栓固定ナット２０には引っ掛け部２０ａが形成されているので、図４に示すように、水道栓固定ナット２０が水道栓連結部１１の先端に貫通された状態で突起部１１ａの内側端に水道栓固定ナット２０の引っ掛け部２０ａが引っ掛かるので、前記引っ掛け部２０ａと突起部１１ａとが引っ掛かった状態によって水道栓連結部１１で水道栓固定ナット２０の離脱を防止することができると共に、これによって水道栓連結部１１に装着された水道栓固定ナット２０を水道栓５０に結合することで、本体１０の水道栓連結部１１が水道栓５０に堅固に連結されることは勿論、その連結状態を堅固に維持することができる。
【００３６】
一方、本体１０の温水洗浄装置のホース連結部１３には通常の温水洗浄装置ホース（図示せず）が連結され、本体１０の便器ホース連結部１２には通常の便器ホース（図示せず）が連結される。
【００３７】
このとき、温水洗浄装置のホース連結部１３への温水洗浄装置ホースの連結と、便器ホース連結部１２への便器ホースの連結は通常の方法に依存するので、温水洗浄装置のホース連結部１３への温水洗浄装置ホースの連結と、便器ホース連結部１２への便器ホースの連結に関する詳細な説明は省略する。
【００３８】
上記のように、本発明に係る温水洗浄装置の分岐接続具Ａは、本体１０の水道栓連結部１１の先端に外側に突出された突起部１１ａが一体に設けられたので、水道栓連結部１１の先端に一体に形成された突起部１１ａの内側端に水道栓固定ナット２０の引っ掛け部２０ａが引っ掛かることで、水道栓連結部１１上で水道栓固定ナット２０の離脱を防止しながら、前記水道栓連結部１１への水道栓固定ナット２０の固定がより簡便に行うことができる。
【００３９】
以上に説明した本発明は、上記の実施形態に限定されず、請求範囲の本発明の要旨を離脱しない範囲内で変更が可能であり、そのような変更は本発明の請求範囲内に含まれるものとする。
【符号の説明】
【００４０】
１０    本体
１１    水道栓連結部
１１ａ    突起部
１２    便器ホース連結部
１３    温水洗浄装置ホース連結部
２０    水道栓固定ナット
２０ａ    引っ掛け部
２１    螺旋溝
５０    水道栓
５１    螺旋溝
Ａ    分岐接続具
【図１】
2015025357.tif 000003
【図２】
2015025357.tif 000004
【図３】
2015025357.tif 000005
【図４】
2015025357.tif 000006
【図５】
2015025357.tif 000007
【図６】
2015025357.tif 000008